(57)【要約】【課題】浄水器用カートリッジの高性能化及び長寿命化を図りつつ交換作業性の向上を図り、しかも種々のキッチンタイプに適用可能なシステムキッチンを提供すること。【解決手段】キャビネットの上面に開口するシンク１１を備えたシステムキッチンにおいて、シンク１１の近傍であってキャビネットの上面に開口１０ａを有して成り、浄水器用カートリッジ１を収納する収納部１０と、収納部１０の開口１０ａを開閉可能に配設され、開口１０ａを閉塞する場合にはキッチン天板を構成する蓋部材１３と、収納部１０とシンク１１とを連通し、収納部１０からシンク１１へ水を導くための排水路１２とを備えたものである。【選択図】図２
2010227135.tif 000002
【特許請求の範囲】
【請求項１】
キャビネットの上面に開口するシンクを備えたシステムキッチンにおいて、
前記シンクの近傍であって前記キャビネットの上面に開口して成り、浄水器用カートリッジを収納する収納部と、
前記収納部の開口を開閉可能に配設され、前記開口を閉塞する場合にはキッチン天板を構成する蓋部材と、
前記収納部と前記シンクとを連通し、収納部からシンクへ水を導くための排水路と
を備えたことを特徴とするシステムキッチン。
【発明の詳細な説明】
【技術分野】
【０００１】
本発明は、システムキッチンに関するものである。
【背景技術】
【０００２】
従来、システムキッチンにおけるビルトイン浄水器としては、アンダーシンク型、トップシンク型、蛇口一体型に大別される。アンダーシンク型はシンク下に設置されるためカートリッジサイズの許容範囲が広く高性能化と長寿命化を図ることが可能であるが、蛇口との接続ホースが比較的長いものとなり、該接続ホースに塩素が除去された浄水が多く滞留すると、雑菌が繁殖してしまう虞れがあった。また、シンク下にカートリッジが設置されるためカートリッジの交換が行いにくい。
【０００３】
トップシンク型や蛇口一体型では、カートリッジの交換はアンダーシンク型よりも行いやすいが、カートリッジサイズが制限されるため、高性能化と長寿命化とを同時に実現することは困難である。
【０００４】
そこで、シンク後方に立ち上がったスペース内にカートリッジの収納室を画成したシステムキッチンが知られている（例えば、特許文献１参照）。
【先行技術文献】
【特許文献】
【０００５】
【特許文献１】特開２００３−１２５８７０号公報
【発明の概要】
【発明が解決しようとする課題】
【０００６】
ところが、上述した特許文献１に提案されているようなシステムキッチンでは、シンク後方に立ち上がったスペースを必要としているため、アイランドタイプ等の種々のキッチンタイプに適用することは困難であり、キッチンタイプのバリエーションが制限されていた。
【０００７】
本発明は、上記実情に鑑みて、浄水器用カートリッジの高性能化及び長寿命化を図りつつ交換作業性の向上を図り、しかも種々のキッチンタイプに適用可能なシステムキッチンを提供することを目的とする。
【課題を解決するための手段】
【０００８】
上記目的を達成するために、本発明の請求項１に係るシステムキッチンは、キャビネットの上面に開口するシンクを備えたシステムキッチンにおいて、前記シンクの近傍であって前記キャビネットの上面に開口して成り、浄水器用カートリッジを収納する収納部と、前記収納部の開口を開閉可能に配設され、前記開口を閉塞する場合にはキッチン天板を構成する蓋部材と、前記収納部と前記シンクとを連通し、収納部からシンクへ水を導くための排水路とを備えたことを特徴とする。
【発明の効果】
【０００９】
本発明によれば、シンクの近傍においてキャビネットの上面に開口して成る収納部が浄水器用カートリッジを収納し、収納部の開口を開閉可能に配設された蓋部材が開口を閉塞する場合にはキッチン天板を構成し、収納部とシンクとを連通する排水路が収納部からシンクへ水を導くことができるで、蓋部材を開移動させて収納部の開口を開放することにより、浄水器用カートリッジの交換を容易に行うことができる。しかも収納部は、開口が蓋部材により閉塞されている場合には内部を視認されるものではなく、その容積も自由に設定することができ、比較的サイズの大きい浄水器用カートリッジを収容することもでき、浄水器用カートリッジの高性能化及び長寿命化を図ることができる。また蓋部材は、収納部を閉塞する場合にはキッチン天板を構成するので、収納部の上方域もキッチン台として有効に活用することができ、しかも利用者の見た目にも煩雑な印象を与える虞れがなく、更に様々なバリエーションのキッチンに適用することができる。従って、浄水器用カートリッジの高性能化及び長寿命化を図りつつ交換作業性の向上を図り、しかも種々のキッチンタイプに適用可能であるという効果を奏する。
【図面の簡単な説明】
【００１０】
【図１】図１は、本発明の実施の形態であるシステムキッチンの要部を模式的に示す平面図である。
【図２】図２は、本発明の実施の形態であるシステムキッチンの要部を模式的に示す断面側面図である。
【図３】図３は、図１に示した収納部での浄水器用カートリッジの取り付けを模式的に示すものである。
【図４】図４は、本実施の形態であるシステムキッチンの要部の変形例を示すものである。
【図５】図５は、本実施の形態であるシステムキッチンの要部の変形例を示すものである。
【発明を実施するための形態】
【００１１】
以下に添付図面を参照して、本発明に係るシステムキッチンの好適な実施の形態について詳細に説明する。
【００１２】
図１及び図２は、本発明の実施の形態であるシステムキッチンの要部を模式的に示すものであり、図１は平面図、図２は断面側面図である。尚、図２においては、図面を見やすくするために断面を示すハッチングを省略して示している。ここで例示するシステムキッチンは、浄水器用カートリッジ１を収納する収納部１０が、キャビネットの上面に開口するシンク１１の近傍に配置して構成してある。
【００１３】
収納部１０は、シンク１１の近傍であってその側方に配置してあり、キャビネットの上面に開口１０ａを有する凹部である。この収納部１０の底面は、シンク１１の底面よりも上方に位置している。また、収納部１０には、排水路１２が取り付けてあり、かかる排水路１２を介してシンク１１と連通している。排水路１２は、収納部１０からシンク１１へ水を導くためのものである。
【００１４】
このような収納部１０の上面の開口１０ａは、蓋部材１３により開閉自在となっている。蓋部材１３は、収納部１０の一側縁部にヒンジ結合されることにより、揺動可能に設けたものである。この蓋部材１３は、開移動した場合には、収納部１０を開放し、収納部１０の内部が上方より視認可能となる一方、閉移動した場合には、収納部１０の上面の開口１０ａを閉塞し、キャビネットの上面であるキッチン天板を構成する。
【００１５】
また、このような収納部１０には、カートリッジ取付部１４が予め載置してある。カートリッジ取付部１４は、例えば円板状の形態を成しており、２つの配管１５が接続されている。ここで２つの配管１５のうち１つは、水栓から原水を導くための導入配管１５ａであり、他の１つは、浄水器用カートリッジ１により浄水化された水を水栓に送り出すための送出配管１５ｂである。
【００１６】
カートリッジ取付部１４は、図３に示すように、浄水器用カートリッジ１に予め設置された接続部２との間で例えばバヨネット方式等により接続することにより、浄水器用カートリッジ１を取り付けるものである。かかるカートリッジ取付部１４に取り付けられた浄水器用カートリッジ１は収納部１０に横倒しの姿勢で載置される。つまり、収納部１０は、それ自体が浄水器用カートリッジ１のホルダとしての役割を有している。
【００１７】
図１及び図２中の符号１６は水栓であり、符号１７は水道配管である。また、符号１８は、切替レバーであり、水道配管１７から送られてきた水を水栓１６の蛇口から吐出させるか、水道配管１７から送られてきた水を導入配管１５ａに送り出し、収納部１０に収納された浄水器用カートリッジ１で浄水させるかの切替を行うための操作部材である。ここで浄水器用カートリッジ１で浄水化された水は、その後送出配管１５ｂを通じて水栓１６に達し、蛇口より吐出される。
【００１８】
以上のような構成を有する本実施の形態であるシステムキッチンによれば、収納部１０が、シンク１１の近傍であってキャビネットの上面に開口１０ａして浄水器用カートリッジ１を収納し、収納部１０の開口１０ａを開閉可能に配設された蓋部材１３が該開口１０ａを閉塞する場合にはキッチン天板を構成し、収納部１０とシンク１１とを連通する排水路１２が収納部１０からシンク１１へ水を導くことができるので、蓋部材１３を開移動させて収納部１０の開口１０ａを開放することにより、浄水器用カートリッジ１の交換を容易に行うことができる。しかも収納部１０は、開口１０ａが蓋部材１３により閉塞されている場合には内部を視認されるものではなく、その容積も自由に設定することができ、比較的サイズの大きい浄水器用カートリッジ１を収容することもでき、浄水器用カートリッジ１の高性能化及び長寿命化を図ることができる。また蓋部材１３は、収納部１０の開口１０ａを閉塞する場合にはキッチン天板を構成するので、収納部１０の上方域もキッチン台として有効に活用することができ、しかも利用者の見た目にも煩雑な印象を与える虞れがなく、更に様々なバリエーションのキッチンに適用することができる。
【００１９】
従って、浄水器用カートリッジ１の高性能化及び長寿命化を図りつつ交換作業性の向上を図り、しかも種々のキッチンタイプに適用可能である。
【００２０】
上記システムキッチンによれば、収納部１０が、シンク１１の近傍であってキャビネットの上面に開口１０ａして成り、浄水器用カートリッジ１を収納するので、水栓１６と浄水器用カートリッジ１との距離を十分に短いものとすることができ、これにより接続部２材、すなわち導入配管１５ａ及び送出配管１５ｂの長さを短くすることができる。特に送出配管１５ｂの長さを短くすることができるので、浄水器用カートリッジ１にて浄水化された水が大量に滞留する虞れがなく衛生的である。
【００２１】
また、上記システムキッチンによれば、収納部１０とシンク１１とを連通する排水路１２が収納部１０からシンク１１へ水を導くことができるので、仮に収納部１０で水漏れ等があっても漏れた水をシンク１１に導くことができ、収納部１０の内部に漏水が滞留する虞れがない。
【００２２】
図４及び図５は、本発明の実施の形態であるシステムキッチンの要部の変形例を示すものである。尚、上述した例と同一の構成を有するものには同一の符号を付してその説明を省略する。
【００２３】
ここで例示するように、収納部１０に収納される浄水器用カートリッジ１には、その側部に把持部３が設けてあってもよい。このような浄水器用カートリッジ１であれば、利用者が把持部３を把持することにより容易に持ち運びすることができる。
【００２４】
また、把持部３を把持した状態で上面の開口１０ａが開放された収納部１０に上方から進入させ、浄水器用カートリッジ１の接続部２をカートリッジ取付部１４に嵌合させ、例えば９０°回転させて浄水器用カートリッジ１をカートリッジ取付部１４に取り付けるようにしても良い。このように９０°回転させることにより、把持部３が収納部１０に収まり、蓋部材１３で上面開口１０ａを閉塞することができる。換言すると、浄水器用カートリッジ１を９０°回転させることができない場合には、把持部３が収納部１０に収まらずに上面の開口１０ａを通じて上方に突出してしまし、これにより閉移動する蓋部材１３により完全に閉塞することができず、浄水器用カートリッジ１の取り付けが不十分であることを利用者に認識させることができる。
【産業上の利用可能性】
【００２５】
以上のように、本発明に係るシステムキッチンは、様々なバリエーションのキッチンタイプに適用することができ、有用である。
【符号の説明】
【００２６】
１      浄水器用カートリッジ
２      接続部
３      把持部
１０      収納部
１０ａ    開口
１１      シンク
１２      排水路
１３      蓋部材
１４      カートリッジ取付部
１５      配管
１５ａ    導入配管
１５ｂ    送出配管
１６      水栓
１７      水道配管
１８      切替レバー
【図１】
2010227135.tif 000003
【図２】
2010227135.tif 000004
【図３】
2010227135.tif 000005
【図４】
2010227135.tif 000006
【図５】
2010227135.tif 000007